【手続補正書】
【提出日】平成27年7月22日(2015.7.22)
【手続補正１】
【補正対象書類名】明細書
【補正対象項目名】全文
【補正方法】変更
【補正の内容】
【発明の詳細な説明】
【発明の名称】空気調和機の床置き形室内機
【技術分野】
【０００１】
本発明は、空気調和機の床置き形室内機に係わり、特に、床置き形室内機の筐体およびこの筐体に取り付けられる意匠パネルの取付構造に関するものである。
【背景技術】
【０００２】
従来の室内機には、意匠パネルを保持する軸と、意匠パネルの開閉時の回転中心が一致しており、意匠パネルを開放する際には、意匠パネルが上部に移動し、固定部は意匠パネルが移動した際の逃げ形状を成しているものがある（例えば、特許文献１参照）。
【先行技術文献】
【特許文献】
【０００３】
【特許文献１】特開２００４−２３９６０１号公報（第４頁、第８図）
【発明の概要】
【発明が解決しようとする課題】
【０００４】
床置き形室内機においては、筐体から意匠パネルを取り外す場合、意匠パネルの下端を中心として下方へ傾けて取り外すことになるが、意匠パネルの下端が床面に当たるため、意匠パネルを筐体の下端まで覆うことができず、意匠性に劣るという課題があった。
【０００５】
本発明は、前記のような課題を解決するためになされたもので、筐体の下端まで覆った意匠パネルであっても、意匠パネルの下端が床面に当たることなく、筐体から取り外すことができる空気調和機の床置き形室内機を提供することを目的とする。
【課題を解決するための手段】
【０００６】
本発明に係る空気調和機の床置き形室内機は、前面に開口を有し、底部にベースが設けられた筐体と、筐体の前面の下部両端にそれぞれ設けられた収納ケースと、筐体の開口を覆う意匠パネルと、意匠パネルの裏面に設けられ、意匠パネルが筐体の開口を覆っているときには、収納ケース内において当該意匠パネルを支持し、意匠パネルが傾けられたときには、筐体の前面下端に接触する意匠パネルの裏面下端が回転中心となって、収納ケース内を移動するパネル支持部と、収納ケースに設けられ、内部にパネル支持部の移動を斜めにガイドするガイド部とを備え、ガイド部におけるパネル支持部の移動の終端部は、意匠パネルを傾けた時点で、当該意匠パネルの表面下端が筐体のベースの下端面よりも下方に下がらない位置とする。
【発明の効果】
【０００７】
本発明においては、意匠パネルを傾けた時点で、当該意匠パネルの表面下端が筐体のベースよりも下方に下がらない位置としているので、意匠パネルの下端が床面に当たることなく、意匠パネルを筐体から取り外すことができる。このため、筐体の前面下端まで覆う意匠パネルを筐体に用いることができ、意匠性の優れた床置き形室内機を提供できる。
【図面の簡単な説明】
【０００８】
【図１】実施の形態に係る空気調和機の床置き形室内機の外観を示す斜視図である。
【図２】図１の意匠パネルを裏面から見て示す斜視図である。
【図３】実施の形態における意匠パネルのパネル支持部を拡大して示す斜視図である。
【図４】実施の形態における意匠パネルのパネル支持部および筐体に設けられた収納ケースを示す断面図である。
【図５】図１の床置き形室内機の意匠パネルを手前に傾けた状態を示す斜視図である。
【図６】意匠パネルを傾けたときのパネル支持部と収納ケースとの関係を示す断面図である。
【図７】意匠パネルを筐体から取り外した状態を示す斜視図である。
【図８】意匠パネルを筐体から取り外したときのパネル支持部と収納ケースを示す断面図である。
【図９】実施の形態の変形例を示す床置き形室内機の分解斜視図である。
【発明を実施するための形態】
【０００９】
図１は実施の形態に係る空気調和機の床置き形室内機の外観を示す斜視図、図２は図１の意匠パネルを裏面から見て示す斜視図である。
【００１０】
図１および図２において、床置き形室内機は、前面に開口を有し、底部にベース１ａが設けられた直方体形状の筐体１、筐体１の上面に設けられた吹出口２、筐体１内に設置された送風機および熱交換器、筐体１の前面の開口を覆う意匠パネル３、意匠パネル３に設けられた吸込口４などで構成されている。意匠パネル３の裏面の上部両端には、図２に示すように、筐体１に設けられた爪部５ａと係合する爪係合部５ｂが設けられている。また、意匠パネル３の裏面の下部両端には、後述するパネル支持部６が設けられている。
【００１１】
前述した床置き形室内機は、屋外に設置された室外機と冷媒配管を介して接続される。床置き形室内機の熱交換器は、暖房運転時には凝縮器として作用し、冷房運転時には蒸発器として作用する。例えば、冷房運転のときには、送風機の運転により、室内の空気を吸込口４から吸い込み、吸い込んだ空気を熱交換器へ通過させて熱交換し、冷風を吹出口２から室内へ吹き出す。
【００１２】
図３は実施の形態における意匠パネルのパネル支持部を拡大して示す斜視図、図４は実施の形態における意匠パネルのパネル支持部および筐体に設けられた収納ケースを示す断面図である。
【００１３】
前述のパネル支持部６は、図３に示すように、意匠パネル３の左右方向の横枠３ａとその横枠３ａと対向する吸込口４の枠４ａとに固定されている。このパネル支持部６は、意匠パネル３の裏面から筐体１の内部方向に突出して斜め下方に延びる例えば板状のアーム部７と、アーム部７の先端の吸込口４側の側面に設けられた例えば円筒形状の軸部８とで構成されている。なお、円筒形状の軸部８に代えて、円柱形状の軸部８でも良い。
【００１４】
筐体１の前面の下部両端には、パネル支持部６が収納される収納ケース９が設けられている。この収納ケース９は、図４に示すように、前面に開口を有する箱状に形成され、内部に奧側に延びるガイド部１０が設けられている。このガイド部１０は、側面から見て四辺形状に形成された板で構成され、その四辺のうちの上辺１０ａが収納ケース９の底面と平行に形成され、収納ケース９の奧側の一辺が収納ケース９の開口側に向かうに連れ上方に傾斜する斜辺１０ｂとなっている。
【００１５】
その斜辺１０ｂは、意匠パネル３の傾き角度に応じて、パネル支持部６の軸部８の移動をガイドするレール１１を成している。レール１１は、ガイド部１０の上辺１０ａと交差する部分がレール終端部１１ａとなっている。レール終端部１１ａは、意匠パネル３を傾けたときに、その意匠パネル３の表面下端３ｃ（角部）が筐体１のベース１ａよりも下方に下がらない位置となるように設定されている。つまり、パネル支持部６の軸部８がレール終端部１１ａに達したときに、傾けた意匠パネル３の表面下端３ｃが床面２０に当たらないようにしている。パネル支持部６の軸部８がレール終端部１１ａを越えた場合には、意匠パネル３を筐体１から取り外すことができる。
【００１６】
次に、意匠パネル３を筐体１から取り外すまでのパネル支持部６の動作について、図５〜図８を参照しながら説明する。
図５は図１の床置き形室内機の意匠パネルを手前に傾けた状態を示す斜視図、図６は意匠パネルを傾けたときのパネル支持部と収納ケースとの関係を示す断面図、図７は意匠パネルを筐体から取り外した状態を示す斜視図、図８は意匠パネルを筐体から取り外したときのパネル支持部と収納ケースを示す断面図である。
【００１７】
意匠パネル３の上部は、裏面の上部両端に設けられた爪係合部５ｂに筐体１の爪部５ａが係合して筐体１に装着され、意匠パネル３の下部は、筐体１の収納ケース９に収納されたパネル支持部６によって支持されている。筐体１と意匠パネル３との係合を解除して、意匠パネル３を手前側に傾ける際には、筐体１の前面下端１ｂに接触する意匠パネル３の下枠先端部３ｂ（裏面下端）が回転中心となる。図５に示すように、意匠パネル３を手前側に傾けていくと、その回転中心とパネル支持部６の軸部８の中心との間の距離を半径として、その軸部８がガイド部１０のレール１１に沿って上方に移動する。
【００１８】
パネル支持部６の軸部８が、ガイド部１０のレール１１に設定されたレール終端部１１ａに達する前に、意匠パネル３の傾け動作を中断した場合には、筐体１の前面下端１ｂに接触する下枠先端部３ｂを支点として、パネル支持部６の軸部８がガイド部１０のレール１１上に係止される。これは、回転中心を支点とする意匠パネル３の自重がパネル支持部６の軸部８に加わるからである。
【００１９】
その後、意匠パネル３を更に傾けていくと、パネル支持部６の軸部８が、意匠パネル３の傾き角度に応じて、ガイド部１０のレール１１に沿って上方に移動する。そして、図６に示すように、パネル支持部６の軸部８がレール終端部１１ａを通過して、レール終端部１１ａを越えたときには、意匠パネル３を筐体１から取り外すことができる（図７および図８参照）。
【００２０】
パネル支持部６の軸部８がレール終端部１１ａに達したときは、意匠パネル３の表面下端３ｃが筐体１のベース１ａよりも下方に下がらないので（図６参照）、意匠パネル３を床面２０に当てることなく、筐体１から取り外すことができる。軸部８のレール終端部１１ａを越えるまでの軌跡は、前述したように、筐体１の前面下端１ｂに接触する意匠パネル３の下枠先端部３ｂを回転中心とし、その回転中心と軸部８の中心との間の距離を半径として円弧状となる。
【００２１】
以上のように実施の形態によれば、パネル支持部６の軸部８のレール終端部１１ａを、意匠パネル３を傾けたときに、その意匠パネル３の表面下端３ｃが筐体１のベース１ａよりも下方に下がらない位置としている。この構成により、意匠パネル３の表面下端３ｃが床面２０に当たることなく、意匠パネル３を筐体１から取り外すことができる。このため、筐体１の前面下端１ｂまで覆う意匠パネル３を筐体１に用いることができ、意匠性の優れた床置き形室内機を提供できる。
【００２２】
なお、実施の形態では、筐体１の前面の下部両端に、筐体１の一部として、ガイド部１０を有する収納ケース９を設けたが、図９に示すように、その収納ケース９を筐体１とは別に製作し、筐体１の前面の下部両端に取り付けるようにしてもよい。
【００２３】
また、パネル支持部６の軸部８をアーム部７の先端の吸込口４側の側面に設けたが、これに代えて、その面の反対側の側面に軸部８を設けてもよい。
【符号の説明】
【００２４】
１  筐体、１ａ  ベース、１ｂ  前面下端、２  吹出口、３  意匠パネル、３ａ  横枠、３ｂ  下枠先端部（裏面下端）、３ｃ  意匠パネルの表面下端、４  吸込口、４ａ  吸込口の枠、５ａ  爪部、５ｂ  爪係合部、６  パネル支持部、７  アーム部、８  軸部、９  収納ケース、１０  ガイド部、１０ａ  上辺、１０ｂ  斜辺、１１  レール、１１ａ  レール終端部、２０  床面。
【手続補正２】
【補正対象書類名】特許請求の範囲
【補正対象項目名】全文
【補正方法】変更
【補正の内容】
【特許請求の範囲】
【請求項１】
前面に開口を有し、底部にベースが設けられた筐体と、
前記筐体の前面の下部両端にそれぞれ設けられた収納ケースと、
前記筐体の開口を覆う意匠パネルと、
前記意匠パネルの裏面に設けられ、前記意匠パネルが前記筐体の開口を覆っているときには、前記収納ケース内において当該意匠パネルを支持し、前記意匠パネルが傾けられたときには、前記筐体の前面下端に接触する前記意匠パネルの裏面下端が回転中心となって、前記収納ケース内を移動するパネル支持部と、
前記収納ケースに設けられ、内部に前記パネル支持部の移動を斜めにガイドするガイド部とを備え、
前記ガイド部における前記パネル支持部の移動の終端部は、前記意匠パネルを傾けた時点で、当該意匠パネルの表面下端が前記筐体のベースの下端面よりも下方に下がらない位置とすることを特徴とする空気調和機の床置き形室内機。
【請求項２】
前記パネル支持部は、先端側面に前記ガイド部を移動する軸部を有していることを特徴とする請求項１記載の空気調和機の床置き形室内機。
【請求項３】
前記ガイド部は、側面から見て四辺形状に形成された板で構成され、その四辺のうち前記収納ケースの奥側の一辺が当該収納ケースの奥から手前側へ向かうに連れ斜め上方に傾斜する斜辺を有し、該斜辺と上辺との交差する部分を前記終端部とすることを特徴とする請求項１又は２記載の空気調和機の床置き形室内機。